(57)【要約】【課題】作業性の低下と長尺シートの汚れを防止できると共に、シート幅サイズに関係なく長尺シートを保持することが可能なシート保持部材を提供する。【解決手段】画像形成装置へ供給する長尺原稿や長尺記録媒体等の長尺シートを保持するシート保持部材６，８である。シート保持部材６，８は、長尺シートを丸めた部分を保持する保持部を有し、当該保持部を長尺シートの幅に応じて移動可能に構成した。【選択図】図１
2012111615.tif 000002
【特許請求の範囲】
【請求項１】
画像形成装置へ供給する長尺シートを保持するシート保持部材であって、
長尺シートを丸めた部分を保持する保持部を有し、当該保持部を長尺シートの幅に応じて移動可能に構成したことを特徴とするシート保持部材。
【請求項２】
長尺シートを丸めた部分の幅方向両端側を保持する一対の保持部を有し、当該一対の保持部の少なくとも一方を長尺シートの幅に応じて移動可能に構成した請求項１に記載のシート保持部材。
【請求項３】
前記保持部から供給される長尺シートの幅方向端部位置を規制して案内すると共に、長尺シートの幅に応じて移動可能に構成されたサイドガイドと、前記保持部を一体的に移動可能に構成した請求項１又は２に記載のシート保持部材。
【請求項４】
前記保持部に、長尺シートの幅方向端部位置を規制する規制部材を設けた請求項３に記載のシート保持部材。
【請求項５】
前記規制部材の長尺シートの幅方向端部を規制する規制面を、前記サイドガイドの長尺シートの幅方向端部を案内するガイド面に対して、長尺シートの幅方向において同じ位置に配設した請求項４に記載のシート保持部材。
【請求項６】
前記保持部を、画像形成装置へ長尺シートを供給する際に当該長尺シートを保持する所定の保持位置から待避可能に構成した請求項１から５のいずれか１項に記載のシート保持部材。
【請求項７】
前記保持部を、画像形成装置に設けられた開閉カバーの開閉動作経路上から待避可能に構成した請求項６に記載のシート保持部材。
【請求項８】
前記保持部を、画像形成装置に他のシートをセットする際の作業の妨げにならない位置へ待避可能に構成した請求項６又は７に記載のシート保持部材。
【請求項９】
前記保持部を、画像形成装置の手前側に吊り下げ保持された前記所定の保持位置から、上方に回動させた後、さらに画像形成装置側へ移動させて待避させるように構成した請求項６から８のいずれか１項に記載のシート保持部材。
【請求項１０】
前記保持部を、長尺シートの幅方向に移動可能に構成された移動部材に対し回動軸を中心に上下方向に回動可能に取り付けると共に、前記回動軸を、前記移動部材に設けられたガイド部に沿って画像形成装置の手前側に引き出す方向とそれと反対側の押し込む方向とにスライド移動可能に構成した請求項９に記載のシート保持部材。
【請求項１１】
前記回動軸に、前記保持部を前記所定の保持位置に配設した状態で画像形成装置本体又はそれに設けられた部材に当接して回動を規制する第１の当接面と、前記保持部を前記所定の保持位置から待避させた状態で画像形成装置本体又はそれに設けられた部材に当接して回動を規制する第２の当接面とを設けた請求項１０に記載のシート保持部材。
【請求項１２】
前記保持部を、長尺シートを丸めた部分に沿うように円弧状に形成した請求項１から１１のいずれか１項に記載のシート保持部材。
【請求項１３】
前記保持部を、上方に開口するＵ字状に形成した請求項１から１２のいずれか１項に記載のシート保持部材。
【請求項１４】
前記Ｕ字状に形成された保持部の底部から当該保持部に保持された長尺シートの繰り出される部分を搬送する搬送面までの高さと、前記保持部の底部から長尺シートの丸めた部分の頂点までの高さとが略同じになるように構成した請求項１３に記載のシート保持部材。
【請求項１５】
前記長尺シートを長尺の原稿とした請求項１から１４のいずれか１項に記載のシート保持部材。
【請求項１６】
前記長尺シートを長尺の記録媒体とした請求項１から１４のいずれか１項に記載のシート保持部材。
【請求項１７】
原稿を読み取り位置へ搬送する原稿搬送装置において、
請求項１から１４のいずれか１項に記載のシート保持部材を、長尺の原稿を保持する原稿保持部材として備えたことを特徴とする原稿搬送装置。
【請求項１８】
記録媒体を画像形成部へ搬送する記録媒体搬送装置において、
請求項１から１４のいずれか１項に記載のシート保持部材を、長尺の記録媒体を保持する記録媒体保持部材として備えたことを特徴とする記録媒体搬送装置。
【請求項１９】
請求項１７に記載の原稿搬送装置と、請求項１８に記載の記録媒体搬送装置の少なくとも一方を備えたことを特徴とする画像形成装置。
【発明の詳細な説明】
【技術分野】
【０００１】
本発明は、長尺シートを保持するシート保持部材、当該シート保持部材を備える原稿搬送装置、記録媒体搬送装置及び画像形成装置に関する。
【背景技術】
【０００２】
複写機等の画像形成装置において、Ａ０サイズ以上の長尺原稿をスキャナで読み込ませる作業は、多くの場合、原稿をあらかじめ丸めた状態としてから行われている。丸めた原稿は、原稿置き台の上に仮置きしたとき、解きほぐされて広がってしまわないように、作業者が手や身体で押さえながら読み取り作業を行う必要があり作業性に問題があった。
【０００３】
そこで、長尺原稿又は長尺用紙を丸めずに広げてスキャナで読み込ませるための解決手段のひとつとして、長尺用紙等を手差し挿入する複写機において、長尺用紙の後端部を装置本体の下部に設けられたトレイで受ける方法が既に知られている（特許文献１参照）。
【発明の概要】
【発明が解決しようとする課題】
【０００４】
しかしながら、上記トレイで長尺用紙の後端部を受ける構成の場合、丸めた原稿を一度解きほぐして広げ、長尺用紙の後端部を床の手前で受けるトレイにセットしなければならないため、セットに要する作業が増え、作業性が低下するといった問題がある。また、原稿が床の手前で受けるトレイの距離よりも長い場合、原稿が床に触れを汚れてしまう問題がある。さらに、トレイがユーザーの足下にあるため、用紙をセットし、コピーをする作業中にユーザーがトレイに足をぶつけたり、トレイを壊したりする問題もある。また、従来の長尺用紙を受けるためのトレイは、Ａ０幅やＡ１幅といった広幅な用紙には対応しているが、Ａ３幅やＡ４幅などの狭い幅の長尺用紙には対応していないため、使いにくいという問題があった。
【０００５】
本発明は、斯かる事情に鑑み、作業性の低下と長尺シートの汚れを防止できると共に、シート幅サイズに関係なく長尺シートを保持することが可能なシート保持部材、当該シート保持部材を備える原稿搬送装置、記録媒体搬送装置及び画像形成装置を提供しようとするものである。
【課題を解決するための手段】
【０００６】
請求項１の発明は、画像形成装置へ供給する長尺シートを保持するシート保持部材であって、長尺シートを丸めた部分を保持する保持部を有し、当該保持部を長尺シートの幅に応じて移動可能に構成したものである。
【０００７】
保持部によって長尺シートを丸めた状態で保持できるので、作業性が向上すると共に、長尺シートが床面等に接触して汚れることもない。さらに、保持部を、長尺シートの幅に応じて移動させることにより、種々の幅サイズの長尺シートを保持するのに適した位置に保持部を配置することができるので、幅サイズに関係なく長尺シートを保持することが可能である。
【０００８】
請求項２の発明は、請求項１に記載のシート保持部材において、長尺シートを丸めた部分の幅方向両端側を保持する一対の保持部を有し、当該一対の保持部の少なくとも一方を長尺シートの幅に応じて移動可能に構成したものである。
【０００９】
一対の保持部によって長尺シートの丸めた部分の幅方向両端側を保持することによって、長尺シートを安定して保持できる。また、一対の保持部の少なくとも一方を長尺シートの幅に応じて移動させることにより、幅サイズに関係なく長尺シートを保持することができる。
【００１０】
請求項３の発明は、請求項１又は２に記載のシート保持部材において、前記保持部から供給される長尺シートの幅方向端部位置を規制して案内すると共に、長尺シートの幅に応じて移動可能に構成されたサイドガイドと、前記保持部を一体的に移動可能に構成したものである。
【００１１】
これにより、サイドガイドを長尺シートの幅サイズに合わせて移動させた際、その移動に伴って保持部を長尺シートの幅サイズに適した位置に移動させることができるので、操作性が向上する。
【００１２】
請求項４の発明は、請求項３に記載のシート保持部材において、前記保持部に、長尺シートの幅方向端部位置を規制する規制部材を設けたものである。
【００１３】
保持部に、長尺シートの幅方向端部位置を規制する規制部材を設けることにより、長尺シートの位置が安定し、長尺シートの画像形成装置への供給性が向上する。
【００１４】
請求項５の発明は、請求項４に記載のシート保持部材において、前記規制部材の長尺シートの幅方向端部を規制する規制面を、前記サイドガイドの長尺シートの幅方向端部を案内するガイド面に対して、長尺シートの幅方向において同じ位置に配設したものである。
【００１５】
規制部材の規制面を、サイドガイドのガイド面に対して長尺シートの幅方向において同じ位置に配設することにより、長尺シートの斜行を抑制する効果が大きくなる。
【００１６】
請求項６の発明は、請求項１から５のいずれか１項に記載のシート保持部材において、前記保持部を、画像形成装置へ長尺シートを供給する際に当該長尺シートを保持する所定の保持位置から待避可能に構成したものである。
【００１７】
保持部を所定の保持位置から待避可能に構成することにより、保持部が作業の妨げとならないようにすることができる。また、保持部を待避させることで、省スペース化も図れる。
【００１８】
請求項７の発明は、請求項６に記載のシート保持部材において、前記保持部を、画像形成装置に設けられた開閉カバーの開閉動作経路上から待避可能に構成したものである。
【００１９】
開閉カバーの開閉作業時に、保持部を開閉カバーの開閉動作経路上から待避させることにより、開閉カバーと保持部とが干渉するのを防止できると共に、開閉作業時の視界を確保することができる。これにより、保持部が開閉カバーの開閉作業の妨げとならないようにすることができる。
【００２０】
請求項８の発明は、請求項６又は７に記載のシート保持部材において、前記保持部を、画像形成装置に他のシートをセットする際の作業の妨げにならない位置へ待避可能に構成したものである。
【００２１】
保持部を他のシートのセット作業の妨げとならない位置へ待避させることで、作業効率の低下を防止できる。
【００２２】
請求項９の発明は、請求項６から８のいずれか１項に記載のシート保持部材において、前記保持部を、画像形成装置の手前側に吊り下げ保持された前記所定の保持位置から、上方に回動させた後、さらに画像形成装置側へ移動させて待避させるように構成したものである。
【００２３】
保持部を、画像形成装置の手前側に吊り下げ保持された所定の保持位置から、上方に回動させた後、さらに画像形成装置側へ移動させて待避させることにより、保持部の下方のスペースや視界を確保することができる。これにより、保持部が作業の妨げとならないようにすることができると共に、省スペース化が可能となる。
【００２４】
請求項１０の発明は、請求項９に記載のシート保持部材において、前記保持部を、長尺シートの幅方向に移動可能に構成された移動部材に対し回動軸を中心に上下方向に回動可能に取り付けると共に、前記回動軸を、前記移動部材に設けられたガイド部に沿って画像形成装置の手前側に引き出す方向とそれと反対側の押し込む方向とにスライド移動可能に構成したものである。
【００２５】
このように構成することで、保持部を、所定の保持位置から上方に回動させた後、さらに画像形成装置側へ移動させて待避させることが可能となる。
【００２６】
請求項１１の発明は、請求項１０に記載のシート保持部材において、前記回動軸に、前記保持部を前記所定の保持位置に配設した状態で画像形成装置本体又はそれに設けられた部材に当接して回動を規制する第１の当接面と、前記保持部を前記所定の保持位置から待避させた状態で画像形成装置本体又はそれに設けられた部材に当接して回動を規制する第２の当接面とを設けたものである。
【００２７】
これにより、保持部を所定の保持位置又はそこから待避させた待避位置に配置した状態で、回動軸の回動を規制することができるので、保持部の姿勢を安定させることができる。
【００２８】
請求項１２の発明は、請求項１から１１のいずれか１項に記載のシート保持部材において、前記保持部を、長尺シートを丸めた部分に沿うように円弧状に形成したものである。
【００２９】
保持部を、長尺シートを丸めた部分に沿うように円弧状に形成することにより、長尺シートの丸めた部分を無理なく安定して保持できるようになる。
【００３０】
請求項１３の発明は、請求項１から１２のいずれか１項に記載のシート保持部材において、前記保持部を、上方に開口するＵ字状に形成したものである。
【００３１】
この場合、保持部の上方から長尺シートの丸めた部分を載置するだけで容易にセットすることができるようになる。
【００３２】
請求項１４の発明は、請求項１３に記載のシート保持部材において、前記Ｕ字状に形成された保持部の底部から当該保持部に保持された長尺シートの繰り出される部分を搬送する搬送面までの高さと、前記保持部の底部から長尺シートの丸めた部分の頂点までの高さとが略同じになるように構成したものである。
【００３３】
このように構成することで、長尺シートの搬送時における長尺シート自身による搬送抵抗を抑制することができ、長尺シートをスムーズかつ安定して搬送することができるようになる。
【００３４】
請求項１５の発明は、請求項１から１４のいずれか１項に記載のシート保持部材において、前記長尺シートを長尺の原稿としたものである。
【００３５】
本発明で用いる長尺シートとして、長尺の原稿を適用可能である。
【００３６】
請求項１６の発明は、請求項１から１４のいずれか１項に記載のシート保持部材において、前記長尺シートを長尺の記録媒体としたものである。
【００３７】
本発明で用いる長尺シートとして、長尺の記録媒体を適用可能である。
【００３８】
請求項１７の発明は、原稿を読み取り位置へ搬送する原稿搬送装置において、請求項１から１４のいずれか１項に記載のシート保持部材を、長尺の原稿を保持する原稿保持部材として備えたものである。
【００３９】
本発明に係るシート保持部材を、原稿搬送装置が備える原稿保持部材に適用可能である。
【００４０】
請求項１８の発明は、記録媒体を画像形成部へ搬送する記録媒体搬送装置において、請求項１から１４のいずれか１項に記載のシート保持部材を、長尺の記録媒体を保持する記録媒体保持部材として備えたものである。
【００４１】
本発明に係るシート保持部材を、記録媒体搬送装置が備える記録媒体保持部材に適用可能である。
【００４２】
請求個１９の発明は、請求項１７に記載の原稿搬送装置と、請求項１８に記載の記録媒体搬送装置の少なくとも一方を備えた画像形成装置である。
【００４３】
画像形成装置が、請求項１７に記載の原稿搬送装置と、請求項１８に記載の記録媒体搬送装置の少なくとも一方を備えることにより、本発明に係るシート保持部材による上記効果が得られる。
【発明の効果】
【００４４】
本発明によれば、丸めた状態の長尺シートをそのまま保持することができるので、作業性が向上すると共に、従来のように長尺シートが床面等に接触して汚れることもない。また、保持部を、長尺シートの幅に応じて移動させることにより、種々の幅サイズの長尺シートを保持するのに適した位置に保持部を配置することができる。これにより、幅サイズに関係なく長尺シートを筒状に丸めた状態で無理な負荷を与えずに安定して保持することができる。
【図面の簡単な説明】
【００４５】
【図１】本発明に係る画像形成装置である複写機の外観斜視図である。
【図２】前記複写機の全体構成を示す概略断面図である。
【図３】シート保持部材を移動部材に取り付けた状態の斜視図である。
【図４】シート保持部材と移動部材とを分離した状態のそれぞれの斜視図である。
【図５】シート保持部材を通常使用するときの状態を示す側面図である。
【図６】シート保持部材を待避位置に配置する手順を説明するための側面図である。
【図７】シート保持部材を待避位置に配置する手順を説明するための側面図である。
【図８】シート保持部材を待避位置に配置する手順を説明するための側面図である。
【図９】回動軸に設けたストッパとガイド部に設けた規制部との拡大図である。
【図１０】長尺原稿を複写機に供給可能にセットする際の作業手順を説明するための斜視図である。
【図１１】長尺原稿を複写機に供給可能にセットする際の作業手順を説明するための斜視図である。
【図１２】シート保持部材で長尺シートを保持した状態を示す側面図である。
【図１３】シート保持部材の他の実施形態の構成を示す斜視図である。
【発明を実施するための形態】
【００４６】
以下、添付の図面に基づき、本発明について説明する。なお、本発明を説明するための各図面において、同一の機能もしくは形状を有する部材や構成部品等の構成要素については、判別が可能な限り同一符号を付すことにより一度説明した後ではその説明を省略する。
【００４７】
図１は、本発明に係る画像形成装置である複写機の外観斜視図、図２は当該複写機の全体構成を示す概略断面図である。
図２に示すように、複写機１の上部には、画像読取手段２が搭載されている。画像読取手段２は、挿入口から挿入された原稿を搬送する第１の搬送ローラ２０と、図示しないコンタクトガラス上にある原稿の画像を読み取る読取センサ２１と、コンタクトガラス上の原稿を案内する圧板２２と、読み取りの終了した原稿を挿入口と反対方向に排出する第２の搬送ローラ２３とを備えている。
【００４８】
また、複写機１の下部には、シート状の記録紙を収納する給紙カセット１１と、ロール状の記録紙を収納する給紙カセット１２，１３とを備えている。なお、記録紙の代わりにＯＨＰや、その他のシート状の記録媒体を用いてもよい。これら給紙カセット１１〜１３に収納された記録紙は給紙ローラ１１ａ，１２ａ，１３ａによって給紙された後、搬送ローラ１４によって上方の画像形成手段３に搬送される。
【００４９】
画像形成手段３は、表面に画像を担持する像担持体としての感光体ドラム３０と、感光体ドラム３０を帯電させる帯電装置３１と、感光体ドラム３０に画像信号を形成して感光体ドラム３０上に静電潜像を形成する露光装置３２と、感光体ドラム３０上にトナーを付着させて静電潜像を可視像化する現像装置３３と、記録紙にトナー画像を転写する転写装置３４と、記録紙に画像転写した後の感光体ドラム３０上のトナーを除去するクリーニング装置３５とを備えている。
【００５０】
また、上記画像形成手段３によってトナー像が記録された記録紙は定着手段４へと搬送され、トナー像が記録紙に定着される。定着手段４は、加熱源によって加熱される定着ローラ４０と、その定着ローラ４０を加圧する加圧ローラ４１を備えており、定着ローラ４０と加圧ローラ４１との加圧部にて形成される定着ニップに記録紙を通過させることによってトナー像を定着させる。
【００５１】
また、図１に示すように、複写機１の上部正面側には、原稿を手差しする際に使用する原稿手差しテーブル５が設けられている。さらに、その原稿手差しテーブル５の手前側には、長尺の原稿を丸めた状態で保持するための原稿保持部材６が設けてある。また、原稿手差しテーブル５の下方には、記録媒体を手差しする際に使用する記録媒体手差しテーブル７が設けられており、この記録媒体手差しテーブル７の手前側に、長尺の記録媒体を丸めた状態で保持するための記録媒体保持部材８が設けられている。
【００５２】
上記原稿保持部材６は、原稿手差しテーブル５に２つ設けられており、それぞれ、原稿手差しテーブル５上で原稿の幅方向に移動可能な移動部材１５に取り付けられている。また、各移動部材１５には、原稿の幅方向端部位置を規制して案内するためのサイドガイド９が一体的に設けられている。すなわち、各原稿保持部材６は、一対のサイドガイド９と一体的に移動可能に構成されている。
【００５３】
同様に、上記記録媒体保持部材８も、記録媒体手差しテーブル７に２つ設けられており、それぞれ、記録媒体手差しテーブル７上で記録媒体の幅方向に移動可能な移動部材１６に取り付けられている。また、各移動部材１６には、記録媒体の幅方向端部位置を規制して案内するためのサイドガイド１０が一体的に設けられている。すなわち、各記録紙保持部材８も、一対のサイドガイド１０と一体的に移動可能に構成されている。
【００５４】
以下、原稿保持部材６と記録媒体保持部材８、及びそれらの周辺部材の構成について詳しく説明する。
なお、原稿保持部材６と記録媒体保持部材８、及びそれらの周辺部材の構成は、基本的に同様であるので、以下の説明では、原稿保持部材６と記録媒体保持部材８をまとめて「シート保持部材Ａ」と称し、原稿手差しテーブル５及び記録媒体手差しテーブル７に設けられた各移動部材１５，１６及び各サイドガイド９，１０を、それぞれまとめて「移動部材Ｂ」、「サイドガイドＣ」と称することにする。
【００５５】
図３は、シート保持部材Ａを移動部材Ｂに取り付けた状態の斜視図、図４は、シート保持部材Ａと移動部材Ｂとを分離した状態のそれぞれの斜視図である。詳しくは、図４において移動部材Ｂはその下面側から見た状態を示している。
なお、図３及び図４に示すシート保持部材Ａ、移動部材Ｂ及びサイドガイドＣは、図１に示す一対の原稿保持部材６、移動部材１５及びサイドガイド９、又は一対の記録紙保持部材８、移動部材１６及びサイドガイド１０のうち、図の左側のものを示しているが、それらは左右対称の構成となっているので、説明を簡略化するため一方についてのみ説明する。
【００５６】
図４に示すように、シート保持部材Ａは、線材を曲げて形成した保持部ａ１と、その保持部ａ１を形成する線材の両端部に取り付けられた円柱状又は円筒状の回動軸ａ２とを有する。本実施形態では、保持部ａ１を金属製の線材で構成しているが、それ以外に、金属製の板材や、樹脂製の板材又は棒材などで保持部ａ１を構成してもよい。保持部ａ１は、側方から見た場合、上方に開口するＵ字状に形成されており、長尺の原稿又は記録媒体を筒状に丸めた部分を上方から保持部ａ１に載置して保持できるようになっている。また、保持部ａ１は、原稿又は記録媒体の丸めた部分を無理なく安定して保持できるように、その丸めた部分に沿うように円弧状に形成されている。この円弧状に形成された部分の半径寸法Ｒは、頻繁に利用する原稿又は記録媒体の材質や硬さなどに合わせて設定されることにより、丸めた原稿等の収まりを良好にすることができるが、例えば、前記半径寸法Ｒを５０ｍｍ〜６０ｍｍ程度に設定することで、多くの場合は対応可能である。
【００５７】
移動部材Ｂは、板状部材で形成された本体部ｂ１と、その本体部ｂ１の下面に設けられた一対のガイド部ｂ２とを有する。これら一対のガイド部材ｂ２と本体部ｂ１との間に、シート保持部材Ａが有する一対の回動軸ａ２を挿入することにより、シート保持部材Ａは移動部材Ｂに対し回動軸ａ２を中心に回動可能に取り付けられる。なお、移動部材Ｂは、本体部ｂ１とガイド部ｂ２とによって、原稿手差しテーブル又は記録媒体手差しテーブルを挟むことによって取り付けられる。各回動軸ａ２には、その回動を規制してシート保持部材Ａを所定の姿勢で保持するためのストッパａ３が設けられている。一方、各ガイド部ｂ２には、ストッパａ３が当接して回動を規制する規制部ｂ３が設けてある。
【００５８】
また、シート保持部材Ａを移動部材Ｂに取り付けた状態では、回動軸ａ２をガイド部ｂ２に沿ってスライド移動させることで、シート保持部材Ａを画像形成装置の手前側に引き出す方向とそれと反対側の押し込む方向とに移動可能となっている。また、回動軸ａ２をガイド部ｂ２に沿ってスライドさせる際、回動軸ａ２がガイド部ｂ２の本体部ｂ１に取り付けられていない方の端部ｂ４から脱落しないように、その端部ｂ４近傍を上方に折り曲げ形成している。
【００５９】
図５は、シート保持部材Ａを通常使用するときの状態を示す側面図である。
通常の使用状態では、シート保持部材Ａは記録媒体手差しテーブル７（又は原稿手差しテーブル５）の手前側の下方に吊り下げ保持されている。この状態で、筒状に丸めた長尺の記録媒体（又は原稿）を、シート保持部材Ａの半径寸法Ｒの円弧状の保持部ａ１で保持することが可能である。また、シート保持部材Ａが自重で下方へ回動してしまわないように、ストッパａ３が記録媒体手差しテーブル７（又は原稿手差しテーブル５）の下面に当接して回動を規制している。これにより、シート保持部材Ａは長尺の記録媒体（又は原稿）を保持するのに適した姿勢で保持される。
【００６０】
また、シート保持部材Ａを使用しない場合は、シート保持部材Ａを図５に示す所定の保持位置から上方に待避させた待避位置に移動させることが可能である。
シート保持部材Ａを待避させるには、まず、図６に示すように、シート保持部材Ａの手前側部分を回動軸ａ２を中心に上方へ回動させる。そして、図７に示すように、シート保持部材Ａを上方に約９０度回動させた位置まで引き上げると、ガイド部ｂ２に沿って回動軸ａ２をスライドさせることにより、シート保持部材Ａを奥側（画像形成装置側）へ押し込むことが可能となる。図８に示すように、シート保持部材Ａを奥側（画像形成装置側）へ押し込むと、ストッパａ３がガイド部ｂ２の規制部ｂ３に当接し、シート保持部材Ａの回動が規制される。これにより、シート保持部材Ａが待避位置で保持された状態となる。
【００６１】
図８に示すように、シート保持部材Ａを待避位置に移動させることにより、シート保持部材Ａを複写機に設けられた開閉カバー５０の開閉動作経路上から待避させることができる。これにより、開閉カバー５０の開閉作業時に、開閉カバー５０とシート保持部材Ａとが干渉するのを防止できると共に、開閉作業時の視界を確保することができる。このように、シート保持部材Ａを上方に回動させることによって、シート保持部材Ａが開閉カバー５０の開閉作業の妨げとならないようにすることができる。また、記録媒体手差しテーブル７に記録媒体をセットする際、その上方の原稿手差しテーブル５に設けられたシート保持部材Ａ（原稿保持部材６）を待避位置に移動させることで、シート保持部材Ａ（原稿保持部材６）が記録媒体セット作業の妨げとならないようにすることができ、作業効率の低下を防止できる。
【００６２】
また、上記待避位置に移動させる手順とは逆の手順でシート保持部材Ａを操作することにより、容易にシート保持部材Ａを所定の保持位置に戻すことが可能である。
【００６３】
図９は、回動軸ａ２に設けたストッパａ３と、ガイド部ｂ２に設けた規制部ｂ３との拡大図である。
図９に示すように、ストッパａ３には、回動軸ａ２の回動を規制するための第１の当接面ａ４と第２の当接面ａ５とが設けられている。第１の当接面ａ４は、シート保持部材Ａを図５に示す所定の保持位置に配置した際に、記録媒体手差しテーブル７（又は原稿手差しテーブル５）の下面に当接する平面状の当接面である。一方、第２の当接面ａ５は、シート保持部材Ａを図８に示す待避位置に配置した際に、規制部ｂ３に当接する段差状の当接面である。この段差状の第２の当接面ａ５が、規制部ｂ３に引っ掛かって係止されることで、シート保持部材Ａが下方に回動することなく姿勢が保持される。
【００６４】
以下、本発明の複写機において、長尺原稿を複写機に供給可能にセットする際の作業手順について説明する。
まず、一対の原稿保持部材６（シート保持部材Ａ）が上記待避位置にあるならば、それらを手前側に引き出して下方へ回動させ上記所定の保持位置（図５示す状態）に配置する。次に、一対のサイドガイド９を長尺原稿の幅に応じて移動させる。このときの、サイドガイド９の位置は図１０に示すようなおおよその位置で構わない。その後、長尺原稿をその後端側から緩やかな筒状に丸めて、先端側は原稿手差しテーブル５に軽く乗せ、筒状に丸めた部分は手で支える状態にする。そして、予め移動させておいたサイドガイド９を図１０の矢印に示す方向に移動させ、その位置を長尺原稿Ｇの幅に合わせると、図１１に示すように、サイドガイド９に一体的に設けられた原稿保持部材６が、長尺原稿の幅方向両端部の位置に配置される。これにより、一対の原稿保持部材６によって長尺原稿の幅方向両端部が保持され、長尺原稿を保持していた手を離してもよい状態になる。
また、長尺の記録媒体をセットする場合も上記長尺原稿の場合と同様に行えばよい。
【００６５】
図１２は、シート保持部材Ａで長尺原稿又は長尺記録媒体の長尺シートＳを保持した状態を示す側面図である。
詳しくは、図１２に示す状態では、シート保持部材Ａに長尺シートＳの筒状に丸めた部分が保持され、その丸めた部分から繰り出された先端部が、機内に供給可能となるように原稿手差しテーブル５（又は記録媒体手差しテーブル７）上に配置された状態となっている。この状態で、Ｕ字状に形成された保持部ａ１の底部から、当該保持部ａ１に保持された長尺シートＳの繰り出される部分を搬送する原稿手差しテーブル５（又は記録媒体手差しテーブル７）上の搬送面Ｅまでの高さＦと、保持部ａ１の底部から長尺シートＳの丸めた部分の頂点までの高さＴとを、略同じ高さになるようにすることが望ましい。言い換えれば、前記搬送面Ｅの位置を、長尺シートＳの丸めた部分の頂点における接線位置と、略同じ位置に配置する。このように構成することで、長尺シートＳの搬送時における長尺シートＳ自身による搬送抵抗を抑制することができ、長尺シートＳをスムーズかつ安定して搬送することができるようになる。
【００６６】
Ｔ＜Ｆ、すなわち長尺シートＳの丸めた部分の頂点の高さＴが、搬送面Ｅの高さＦに対して低すぎると、長尺シートＳが原稿手差しテーブル５（又は記録媒体手差しテーブル７）に擦りつけられるような搬送状態となり、長尺シートＳに傷が生じてしまうだけでなく、長尺シートＳによる搬送抵抗によって、読み取り画像又は形成画像が伸びてしまう虞がある。
反対に、Ｔ＞Ｆ、すなわち長尺シートＳの丸めた部分の頂点の高さＴが、搬送面Ｅの高さＦに対して高すぎると、長尺シートＳを筒状に保持することが困難になると共に、機内に挿入される長尺シートＳが浮いてしまい、長尺シートＳに無理な負荷が生じて長尺シートＳの曲がりや折れなどが発生してしまう虞がある。
【００６７】
図１３は、シート保持部材Ａの他の実施形態の構成を示す斜視図である。
図１３に示すシート保持部材Ａには、長尺原稿又は長尺記録媒体の幅方向端部位置を規制する規制部材Ｄを設けられている。それ以外は、上記実施形態と同様の構成である。シート保持部材Ａに規制部材Ｄを設けていることにより、長尺原稿又は長尺記録媒体の位置が安定し、それらの複写機への供給性（搬送性）が向上する。また、本実施形態では、この規制部材Ｄの長尺原稿等の幅方向端部を規制する規制面ｄ１を、サイドガイドＣの長尺原稿等の幅方向端部を案内するガイド面ｃ１に対して、長尺原稿等の幅方向において同じ位置に配設している。これにより、長尺原稿等の斜行を抑制する効果が大きくなる。また、規制部材Ｄの材料としては、金属材料や樹脂材料等を適用可能である。例えば、規制部材Ｄを金属製の板を用いて形成し、それをシート保持部材Ａに溶接などにより一体的に取り付けてもよい。あるいは、規制部材Ｄを樹脂材料で形成し、それをシート保持部材Ａに対して着脱可能に構成してもよい。ただし、規制部材Ｄは、原稿又は記録媒体の端部に接触して擦れ合うことになるため、規制部材Ｄの材料として、ゴム、布、その他の摩擦係数の高い材料や、凹凸の多い材料は適さない。
【００６８】
以上、本発明の実施形態について説明したが、本発明は上述の実施形態に限定されるものではなく、本発明の要旨を逸脱しない範囲で種々の変更を加え得ることは勿論である。上述の実施形態では、一対のシート保持部材の両方を長尺シートの幅に応じて移動可能に構成しているが、本発明のシート保持部材を、例えば、原稿や記録媒体の幅方向の一端部を基準に位置合わせする方式の複写機等に用いる場合は、一対のシート保持部材のいずれか一方のみを移動可能に構成してもよい。
【００６９】
また、上述の実施形態では、本発明の構成を、原稿を読み取り位置へ搬送する原稿搬送装置に設けられた原稿保持部材と、記録媒体を画像形成部へ搬送する記録媒体搬送装置に設けられた記録媒体保持部材に適用した場合を例に説明したが、これに限定されるものではない。本発明の構成は、原稿又は記録媒体以外の長尺シートを保持するシート保持部材にも適用可能である。また、本発明を適用可能な画像形成装置は、図１に示す複写機に限らず、その他の複写機、プリンタ、ファクシミリ、あるいはこれらの複合機等とすることも可能である。
【００７０】
以上のように、本発明によれば、丸めた状態の長尺シートをそのまま保持することができるので、作業性が向上すると共に、従来のように長尺シートが床面等に接触して汚れることもない。また、シート保持部材（又は保持部）を、長尺シートの幅に応じて移動させることにより、種々の幅サイズの長尺シートを保持するのに適した位置にシート保持部材を配置することができる。これにより、幅サイズに関係なく長尺シートを筒状に丸めた状態で無理な負荷を与えずに安定して保持することができる。
【００７１】
さらに、上述の実施形態のように、シート保持部材をサイドガイドと一体的に移動可能に構成することにより、サイドガイドを長尺シートの幅サイズに合わせて移動させた際に、その移動に伴ってシート保持部材を長尺シートの幅サイズに適した位置に移動させることができ、操作性が向上する。
【００７２】
また、上述の実施形態のように、不使用時にシート保持部材を所定の保持位置から待避させることにより、シート保持部材をトナー交換やジャム処理時のカバーの開閉作業などの妨げとならないようにすることが可能である。また、シート保持部材を待避させることで、省スペース化も図れる。なお、上述の実施形態では、シート保持部材を所定の保持位置から上方の待避位置へ移動させるように構成しているが、シート保持部材を待避させる位置は、所定の保持位置の下方、又は横方向（左右方向）などであってもよい。
【００７３】
また、上述の実施形態では、シート保持部材を、複写機の上部に配設されている原稿手差しテーブルや記録媒体手差しテーブルに設けているので、ユーザー等がシート保持部材に足をぶつけたり、壊したりする虞もない。
【符号の説明】
【００７４】
１      複写機
５      原稿手差しテーブル
６      原稿保持部材
７      記録媒体手差しテーブル
８      記録媒体保持部材
９      サイドガイド
１０    サイドガイド
１５    移動部材
１６    移動部材
５０    開閉カバー
Ａ      シート保持部材
ａ１    保持部
ａ２    回動軸
ａ４    第１の当接面
ａ５    第２の当接面
Ｂ      移動部材
ｂ２    ガイド部
ｂ３    規制部
Ｃ      サイドガイド
ｃ１    ガイド面
Ｄ      規制部材
ｄ１    規制面
Ｅ      搬送面
Ｓ      シート
【先行技術文献】
【特許文献】
【００７５】
【特許文献１】特開２００２−３０８４７９号公報
【図１】
2012111615.tif 000003
【図２】
2012111615.tif 000004
【図３】
2012111615.tif 000005
【図４】
2012111615.tif 000006
【図５】
2012111615.tif 000007
【図６】
2012111615.tif 000008
【図７】
2012111615.tif 000009
【図８】
2012111615.tif 000010
【図９】
2012111615.tif 000011
【図１０】
2012111615.tif 000012
【図１１】
2012111615.tif 000013
【図１２】
2012111615.tif 000014
【図１３】
2012111615.tif 000015